(57)【特許請求の範囲】
【請求項１】
全地球測位システム受信機から受信した測位情報を、撮像した画像情報に関連付けて保存する撮像装置であって、
前記撮像装置が外部から操作を受けることなく経過した時間が、予め設定された設定時間を越えた場合に前記全地球測位システム受信機への電力の供給を絶つタイマと、
有効な測位情報を獲得した後に有効な測位情報を獲得できない状態になった場合は前記全地球測位システム受信機が衛星情報を受信するに足る第一設定時間を前記タイマに設定し、有効な測位情報を獲得できない状態の後に有効な測位情報を獲得した場合は前記第一設定時間よりも短い第二設定時間を前記タイマに設定する設定部と
を備える撮像装置。
【請求項２】
前記設定部は、前記測位情報に含まれる文字列を解釈して測位情報を有効と判断する請求項１に記載の撮像装置。
【請求項３】
前記設定部は、前記文字列に含まれる受信モード情報を解釈して測位情報を有効と判断する請求項２に記載の撮像装置。
【請求項４】
前記設定部は、前記第一設定時間が一旦設定された後は、前記測位情報が有効か否かにかかわらず、前記第二設定時間を前記タイマに設定する請求項１から請求項３までのいずれかに記載の撮像装置。
【請求項５】
前記全地球測位システム受信機は、前記タイマおよび前記設定部と共通の筐体に収容される請求項１から請求項４までのいずれかに記載の撮像装置。
【請求項６】
全地球測位システム受信機から受信する測位情報を、撮像した画像情報に関連付けて保存する撮像装置を制御する制御プログラムであって、
有効な測位情報を獲得した後に有効な測位情報を獲得できない状態になった場合に、前記全地球測位システム受信機が衛星情報を受信するに足る第一設定時間をタイマに設定するステップと、
有効な測位情報を獲得できない状態の後に有効な測位情報を獲得した場合は前記第一設定時間よりも短い第二設定時間を前記タイマに設定するステップと、
前記撮像装置が外部から操作を受けることなく、前記タイマが前記第一設定時間または第二設定時間を計時した場合に、前記全地球測位システム受信機への電力の供給を絶つステップと
を備える制御プログラム。
【発明の詳細な説明】
【技術分野】
【０００１】
本発明は撮像装置および制御プログラムに関する。
【背景技術】
【０００２】
下記の特許文献１には、全地球測位システム受信機（以下、「ＧＰＳ受信機」と記載する）から獲得した測位情報を、画像情報に関連付けて保存するカメラが記載されている。
［先行技術文献］
［特許文献］
［特許文献１］  特開平０４−０７８５０６号公報
【発明の概要】
【発明が解決しようとする課題】
【０００３】
カメラには、外部から操作を受けることなく経過した時間が長くなると自動的に休止状態になるものがある。カメラが休止状態になった場合、カメラに内蔵あるいは装着されたＧＰＳ受信機への電力供給も遮断される。このため、ＧＰＳ受信機がエフェメリスデータを更新できず、有効なＧＰＳデータの取得に時間がかかる場合がある。
【課題を解決するための手段】
【０００４】
そこで、上記課題を解決すべく、本発明の第一態様として、全地球測位システム受信機（２８６）から受信した測位情報を、撮像した画像情報に関連付けて保存する撮像装置（１００）であって、撮像装置が外部から操作を受けることなく経過した時間が、予め設定された設定時間を越えた場合に全地球測位システム受信機への電力の供給を絶つタイマ（２６２）と、有効な測位情報を獲得した後に有効な測位情報を獲得できない状態になった場合は全地球測位システム受信機が衛星情報を受信するに足る第一設定時間をタイマに設定し、有効な測位情報を獲得できない状態の後に有効な測位情報を獲得した場合は第一設定時間よりも短い第二設定時間をタイマに設定する設定部（２６４）とを備える撮像装置が供給される。
【０００５】
また、本発明の第二態様として、全地球測位システム受信機から受信する測位情報を、撮像した画像情報に関連付けて保存する撮像装置を制御する制御プログラムであって、有効な測位情報を獲得した後に有効な測位情報を獲得できない状態になった場合に、全地球測位システム受信機が衛星情報を受信するに足る第一設定時間をタイマに設定するステップと、有効な測位情報を獲得できない状態の後に有効な測位情報を獲得した場合は第一設定時間よりも短い第二設定時間をタイマに設定するステップと、撮像装置が外部から操作を受けることなく、タイマが第一設定時間または第二設定時間を計時した場合に、全地球測位システム受信機への電力の供給を絶つステップとを備える制御プログラムが提供される。
【図面の簡単な説明】
【０００６】
【図１】カメラ１００全体の斜視図である。
【図２】カメラ１００の内部機構２００を示すブロック図である。
【図３】制御部２０６による制御手順を示す流れ図である。
【図４】制御部２０６による制御手順を示す流れ図である。
【発明を実施するための形態】
【０００７】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。
【０００８】
図１は、カメラ１００の斜視図である。カメラ１００は、筐体１１０、撮像レンズ１２０、シャッタレリーズボタン１３０、モードダイアル１４０、電源スイッチ１５０およびＧＰＳアンテナ１６０を備える。
【０００９】
カメラ１００において、多くの要素は筐体１１０の内部に収容されているが、筐体１１０の前面には、撮像レンズ１２０が現れている。撮像レンズ１２０は、筐体１１０の前方に位置する被写体の光像を、筐体１１０内部に収容されたイメージセンサの受光面に結ばせる。これにより、カメラ１００は、被写体の光像を電気信号に変換して処理および保存することができる。
【００１０】
筐体１１０の上面には、シャッタレリーズボタン１３０、モードダイアル１４０および電源スイッチ１５０が配される。電源スイッチ１５０は、筐体１１０の内部において、カメラ１００の各部と電源との間を接続または遮断する。多くの場合は、ユーザがボタン状の電源スイッチ１５０を押し下げることにより動作するが、後述するように、カメラ１００の制御部が電源を切る場合もある。
【００１１】
シャッタレリーズボタン１３０は、カメラ１００の電源が投入された状態で押し下げられた場合に、筐体１１０内部のシャッタを開いてイメージセンサを露光する。これにより、光像がイメージセンサに投影され、電気信号に変換される。
【００１２】
また、シャッタレリーズボタン１３０は、押し下げの途中で投入される半押し接点を更に備える。この半押し接点により、シャッタレリーズボタン１３０を僅かに押し下げた段階で、シャッタの開放に先立って、露出、合焦等の予備動作を実行させることができる。また、シャッタレリーズボタン１３０を半押しすることにより、撮像はしないまでも、カメラ１００に対する操作が継続されていることがカメラ１００の制御部に通知される。
【００１３】
モードダイアル１４０は、回転させた場合に複数の接点のいずれかが導通する。これにより、カメラ１００の複数の動作モードからひとつを選択して設定することができる。設定する動作モードには、自動露出、シャッタ優先、絞り優先、動画撮像等の撮像動作モードの他、撮像画像の再生、撮像画像の加工、内蔵ＧＰＳ受信機を有効にする等の、撮像以外の動作モードが含まれる場合もある。
【００１４】
ＧＰＳアンテナ１６０は、例えばマイクロストリップ線路により形成されたアンテナ素子を含む。ＧＰＳアンテナ１６０は、筐体１１０に対して上方に感度を有し、中軌道を周回するナヴスター（ＮＡＶＳＴＡＲ）衛星が発信する１．５７５４２ＧＨｚの電磁波を受信する。
【００１５】
図２は、カメラ１００の内部機構２００を示すブロック図である。内部機構２００は、撮像部２０２、信号処理部２０４、制御部２０６および入出力部２０８を有する。
【００１６】
撮像部２０２は、光学系２２１、焦点調節部２２２、露出調節部２２４、タイミングジェネレータ２２６、イメージセンサ２２７およびＡ／Ｄ変換部２２９を含む。光学系２２１は、撮像レンズ１２０の他、アイリスユニット２２３、シャッタ２２５等を含む。
【００１７】
焦点調節部２２２は、光学系２２１に含まれるレンズの一部を移動させながら光像の空間周波数を監視して、撮像レンズ１２０の合焦位置を検出する。露出調節部２２４は、図示していない測光部が算出した露出制御値に応じて、アイリスユニット２２３の開口径、シャッタ２２５の開放時間、イメージセンサ２２７の感度等を変化させる。これにより、イメージセンサ２２７に入射する光像の光量が適正化される。
【００１８】
イメージセンサ２２７は、受光した光像に応じて画素毎に電荷を蓄積する。Ａ／Ｄ変換部２２９は、タイミングジェネレータ２２６から供給されるタイミング信号に従ってイメージセンサ２２７から読み出した電気信号を離散化する。これにより、光学系２２１により結ばれた光像は、デジタル処理できる電気信号に変換される。
【００１９】
信号処理部２０４は、画像処理部２４２、圧縮部２４４、メインメモリ２４６およびイメージメモリ２４８を含む。イメージメモリ２４８は、デジタル信号化された画像情報を一時的に格納すると共に、画像処理部２４２による画像処理の作業領域となる。画像処理部２４２は、画像情報に対する画像処理を実行する。画像後処理は、明度、色、歪み等の補正の他、種々のフィルタ効果、階調補正等を含む。
【００２０】
圧縮部２４４は、イメージメモリ２４８に格納された画像情報を規格に応じて圧縮して静止画ファイルを生成する。メインメモリ２４６は、画像ファイル化された画像情報を保持する。
【００２１】
入出力部２０８は、入力受付部２８１、表示駆動部２８２、表示部２８３、記録媒体２８４およびＧＰＳ受信機２８６を含む。入力受付部２８１は、電源スイッチ１５０、モードダイアル１４０またはシャッタレリーズボタン１３０を通じて、カメラ１００に対するユーザの操作を検知する。検知した操作は、制御部２０６に通知され、制御部２０６は操作に応じた動作を、内部機構２００の各部に実行させる。
【００２２】
表示駆動部２８２は、制御部２０６から受け取ったユーザに通知すべき情報を映像化して、表示部２８３に出力する。表示部２８３に表示される映像は、イメージセンサ２２７が受光した光像、カメラ１００の各種設定項目、電池、記録媒体２８４等の残量等を含む。なお、表示部２８３は、例えば、筐体１１０の背面に配された液晶表示板等により形成される。
【００２３】
記録媒体２８４は、筐体１１０に内蔵され、筐体１１０から着脱される場合もある。多くの場合、容量の大きなフラッシュメモリ等を備え、メインメモリ２４６に格納された画像ファイルを保存する。また、画像処理部２４２による処理に供する目的で、記録媒体２８４から画像ファイルを読み出して、メインメモリ２４６に格納することもできる。
【００２４】
ＧＰＳ受信機２８６は、ＧＰＳアンテナ１６０を通じて複数のナヴスター衛星からの電波を受信する。受信する電波から測位情報を抽出する。抽出された測位情報は、電波の受信状況等を表す情報と共に、ＮＭＥＡ等の規格化された文字列として制御部２０６に出力される。
【００２５】
制御部２０６は、上記した内部機構２００の一連の動作を包括的に制御する。例えば、制御部２０６は記録制御部２６８を含む。記録制御部２６８は、メインメモリ２４６および記録媒体２８４の間のファイル転送を制御する。
【００２６】
また、記録制御部２６８は、ＧＰＳ受信機２８６が出力する文字列から抽出した測位情報を、撮像時刻に基づいて画像ファイルに関連付け、画像ファイルの中に埋め込む。これにより、画像ファイルを例えば地図情報と照合して、画像を地図上の撮影位置に表示させることができる。
【００２７】
更に、記録制御部２６８は、半押しタイマ２６２、設定部２６４およびフラグ領域２６６を含む。半押しタイマ２６２は、設定部２６４により設定されたカウント値を計時して、カウント値を計時し切ると、カメラ１００を休止状態にする。休止状態のカメラ１００では、表示部２８３の照明等が消灯され、電力消費が抑制される。また、ＧＰＳ受信機２８６への電力供給も遮断する。
【００２８】
なお、シャッタレリーズボタン１３０が半押しされたことを入力受付部２８１が検知した場合、半押しタイマ２６２はリセットされ、設定されているカウント値を改めて計時し始める。これにより、ユーザが長時間にわたってカメラ１００を操作しない場合は、電源が遮断され、カメラ１００の待機電力の消費を抑制できる。
【００２９】
設定部２６４は、フラグ領域２６６にフラグがセットされているか否かを参照して、半押しタイマ２６２に設定する設定時間を選択する。フラグ領域２６６にセットされるフラグの意味については図４を参照して後述する。
【００３０】
図３は、制御部２０６による内部機構２００の制御手順を示す流れ図である。カメラ１００の電源スイッチ１５０が投入されると、制御部２０６は、起動処理を実行する（Ｓ１０１）。これにより、例えば、半押しタイマ２６２設定時間および計時がリセットされて初期値に戻される。設定時間の初期は、例えば、カウント値１とする。また、起動処理により、後述するフラグ領域２６６のフラグもリセットされる。
【００３１】
次に、制御部２０６は、半押しタイマ２６２に設定時間の計時を開始させる。ここでは、半押しタイマ２６２は、初期値として設定されたカウント値１に向かって計時を開始する（Ｓ１０２）。なお、カウント値１は、カメラ１００における半押しタイマ２６２のデフォルト値であり、例えば、ＧＰＳ受信機２８６を備えていない、あるいは、ＧＰＳ受信機２８６が装着されていないカメラ１００においても有効な、比較的短い値が選ばれている。
【００３２】
次に、制御部２０６は、ＧＰＳ受信機２８６からＧＰＳデータを取得する処理を開始する（Ｓ１０３）。また、制御部２０６は、カメラ１００に、ＧＰＳ受信機２８６が接続されているか否かを調べる（Ｓ１０４）。カメラ１００にＧＰＳ受信機２８６が接続されていない場合（Ｓ１０４：ＮＯ）、即ち、カメラ１００がＧＰＳ受信機２８６を内蔵しておらず、また、外部にも装着されていない場合、半押しタイマ２６２がカウント値１を計時しているか否かを調べる（Ｓ１０６）。
【００３３】
半押しタイマ２６２がカウント値１を計時中ではないことが判った場合（つまりカウント値２が掲示中である場合。Ｓ１０６：ＮＯ）、制御部２０６は、半押しタイマ２６２にカウント値１を設定して（Ｓ１０７）、計時を開始させる（Ｓ１０８）。続いて、制御部２０６は、カメラ１００に対する外部からの操作の有無を入力受付部２８１に問い合わせる（Ｓ１１１）。半押しタイマ２６２が既にカウント値１を計時していることが判った場合（Ｓ１０６：ＹＥＳ）、制御部２０６は、直ぐに、カメラ１００に対する外部からの操作の有無を入力受付部２８１に問い合わせる（Ｓ１１１）。
【００３４】
カメラ１００への操作があった場合、制御部２０６は、当該操作に対応した動作をカメラ１００に実行させ（Ｓ１１２）タイマ２６２の計時をリセットしカウントを開始し、更に、制御手順を、再びＧＰＳデータ取得処理に戻す（Ｓ１０３）。一方、カメラ１００への操作がなかった場合（Ｓ１１１：ＮＯ）、制御部２０６は、半押しタイマ２６２が設定されているカウント値１又はカウント値２までの計時が終了しているか否かを調べる（Ｓ１１３）。
【００３５】
半押しタイマ２６２が設定されているカウント値１またはカウント値２までの計時を終了してた場合（Ｓ１１３：ＹＥＳ）、制御部２０６は、カメラ１００を休止状態に移行させる（Ｓ１１４）。また、半押しタイマ２６２が設定されているカウント値１またはカウント値２まで達っしていない場合（Ｓ１１３：ＮＯ）、制御部２０６は、制御手順を、再びＧＰＳデータ取得処理に戻す（Ｓ１０３）。
【００３６】
ここまでの一連の制御手順は、半押しタイマ２６２を備え、且つ、ＧＰＳ受信機２８６を備えていないカメラ１００と共通になる。これに対して、手順Ｓ１０４において、ＧＰＳ受信機２８６が接続されていることが判明した場合（Ｓ１０４：ＹＥＳ）、制御部２０６は、ＧＰＳ受信機２８６から取得したＧＰＳデータが有効であるか否かを調べる（Ｓ１０５）。
【００３７】
取得したＧＰＳデータが有効な場合（Ｓ１０５：ＹＥＳ）、制御部２０６は、半押しタイマ２６２がカウント値１を計時中か否かを調べる（Ｓ１０６）。以降の制御手順は、カメラ１００にＧＰＳ受信機２８６が接続されていなかった場合（Ｓ１０４：ＮＯ）と同じになる。即ち、制御部２０６は、半押しタイマ２６２の計時が終了する（Ｓ１１３：ＹＥＳ）まで、カメラ１００に対する操作があったか否かを調べ（Ｓ１１１）、操作があった場合は対応する（Ｓ１１１：ＹＥＳ）。
【００３８】
取得したＧＰＳデータが有効ではなかった場合（Ｓ１０５：ＮＯ）、制御部２０６は、半押しタイマ２６２がカウント値２を計時中か否かを調べる（Ｓ１０９）。ここで、半押しタイマ２６２が、既にカウント値２を計時中であった場合（Ｓ１０９：ＹＥＳ）、制御部２０６は、制御部２０６は、カメラ１００に対する外部からの操作の有無を入力受付部２８１に問い合わせる（Ｓ１１１）。
【００３９】
また、ステップＳ１０９において半押しタイマ２６２が、カウント値２を計時中ではなかった場合（つまり、カウント値１を掲示中であった場合。Ｓ１０９：ＮＯ）、制御部２０６は、半押しタイマ２６２にカウント値２を設定して（Ｓ１１０）、カウント値２の計時を開始させる（Ｓ１０８）。続いて、制御部２０６は、カメラ１００に対する外部からの操作の有無を入力受付部２８１に問い合わせる（Ｓ１１１）。
【００４０】
以降の制御手順は、カメラ１００にＧＰＳ受信機２８６が接続されていなかった場合（Ｓ１０４：ＮＯ）と同じになる。ただし、この場合、半押しタイマ２６２はカウント値２を計時しているので、半押しタイマ２６２が計時を終了するまでには、カウント値１の場合よりも長い時間がかかる。
【００４１】
ここで、カウント値２は、ＧＰＳ受信機２８６が、例えばコールドスタート時において有効な位置情報の受信を完了することができる程度に長い時間が設定される。これにより、ＧＰＳ受信機２８６は、有効な位置情報を算出する前にカメラが休止状態となり位置情報の算出が中断される可能性を低減できる。また、ＧＰＳ受信機２８６から取得するＧＰＳデータが有効な場合（Ｓ１０５：ＹＥＳ）、半押しタイマ２６２に設定するカウント値はカウント値２より短いカウント値１となる。これにより、ＧＰＳデータが有効な場合、カメラ１００はより早い時期に休止状態になるので、電力の消費を抑制できる。
【００４２】
上記のような一連の制御手順により、動作を開始して有効なＧＰＳデータを獲得し続けていた制御部２０６が有効なＧＰＳデータを受信できなくなった場合に、制御部２０６は、半押しタイマ２６２にカウント値２を設定して計時させる。これにより、半押しタイマ２６２は、より長い時間まで計時を継続してＧＰＳ受信機２８６に電力を供給し続ける。従って、ＧＰＳ受信機２８６は、有効な位置情報の算出に時間がかかる場合であっても有効な位置情報の算出前に電源供給が絶たれて算出が不能となる可能性を低減できる。
【００４３】
なお、ステップＳ１０５においてＧＰＳデータが有効か否かを調べる方法としては、例えば、ＧＰＳ受信機２８６が発生するＮＭＥＡ文字列を解釈する方法が例示できる。即ち、例えば、ＮＭＥＡ文字列の＄ＧＰＧＳＡは、測位情報の一部として、ＧＰＳ受信機２８６の受信状態を示す「モード」を含んでいる。従って、モードの値に応じて、ＧＰＳデータが有効か否かを知ることができる。
【００４４】
また、上記のような一連の制御手順は、記録媒体に記録された制御プログラムのファイルとして提供され、当該記録媒体をカメラ１００に装着することにより制御部２０６に実行されてもよい。また、一連の制御手順は、制御プログラムのファイルとして通信回線等を通じて転送されて、制御部２０６にロードして実行されてもよい。
【００４５】
図４は、制御部２０６による内部機構２００の制御手順を示す流れ図である。図４において、図３と共通のステップには同じ参照番号を付して、異なるステップを中心に説明する。
【００４６】
ＧＰＳ受信機２８６が接続されている（Ｓ１０４：ＹＥＳ）にもかかわらずＧＰＳデータが有効ではないない場合（Ｓ１０５：ＮＯ）が生じると、制御部２０６は、フラグ領域２６６にフラグがセットされているか否かを調べる（Ｓ１１５）。なお、フラグ領域２６６は、起動処理（Ｓ１０１）においてリセットされ、後述のステップＳ１１６にてセットされる。
【００４７】
フラグ領域２６６にフラグがセットされていない場合（Ｓ１１５：ＮＯ）、制御部２０６は、フラグ領域２６６にフラグをセットし（Ｓ１１６）、次いで、半押しタイマ２６２にカウント値２をセットする（Ｓ１１６）。そして半押しタイマ２６２がカウント値２の計時を開始（Ｓ１０８）してカメラ１００の操作の有無に応じた制御部２０６の制御手順（Ｓ１１１）の制御へ移る。
【００４８】
カメラ１００への操作があった場合（ステップＳ１１１：ＹＥＳ）、制御部２０６は、当該操作に対応した動作をカメラ１００に実行させ（Ｓ１１８）、半押しタイマ２６２の計時がカウント値１でカウントしている場合は半押しタイマ２６２のカウントをリセットしカウントを開始し、半押しタイマ２６２の計時がカウント値２でカウントされている場合は半押しタイマ２６２のカウントのリセットはせずに、制御手順を、再びＧＰＳデータ取得処理に戻す（Ｓ１０３）。
【００４９】
一方、カメラ１００への操作がなかった場合（Ｓ１１１：ＮＯ）、制御部２０６は、半押しタイマ２６２が設定されているカウント値１の計時が終了しているか否かを調べる（Ｓ１１９）。
【００５０】
半押しタイマ２６２がカウント値１に設定されており、且つ、カウント値１までの計時を終了していた場合（Ｓ１１９：ＹＥＳ）、制御部２０６は、カメラ１００を休止状態に移行させる（Ｓ１１４）。また、半押しタイマ２６２が設定されているカウント値１まで達っしていない場合または半押しタイマ２６２がカウント値２に設定されている場合は（Ｓ１１９：ＮＯ）、制御部２０６は、制御手順を、再びＧＰＳデータ取得処理に戻す（Ｓ１０３）。
【００５１】
フラグ領域２６６にフラグがセットされていた場合（Ｓ１１５：ＹＥＳ）、制御部２０６は、計時中の設定値がカウント値１であるか否かを調べる（Ｓ１０６）。もし、計時中の設定値がカウント値１でない場合（つまり、カウント値２が計時中である場合）は、半押しタイマ２６２がカウント値２までの計時を終了しているか否かを判定し（Ｓ１１７）、計時を終了している場合（Ｓ１１７：ＹＥＳ）は半押しタイマ２６２にカウント値１を設定し（Ｓ１０７）計時を開始する（Ｓ１０８）。計時を終了していいない場合（Ｓ１１７：ＮＯ）は、制御部２０６は、カメラ１００に対する外部からの操作の有無を入力受付部２８１に問い合わせ（Ｓ１１１）を行なう。
【００５２】
上記のような一連の制御手順により、カメラが休止状態又は電源オフ状態から起動した際に、少なくともカウント値２の時間（コールドスタートから有効な位置情報の算出が可能な程度の時間）がたつまではカメラは休止状態とはならないため、有効な位置情報の取得の算出中に電源供給が絶たれて当該位置情報の算出が中断される可能性を低減することができる。
【００５３】
また、カウント値２の計時が終了した後は、通常のカウント値１による計時が開始され、以後はカウント値２による計時は行なわない。
【００５４】
これにより、例えば、建物の中などＧＰＳ情報を取得および位置情報の算出が何時までたっても不能な場所で電源を入れた（休し状態から復帰した）場合に、不必要に長いカウント値２で半押しタイマ２６２がカウントされ、無駄に電力を消費することを防止できる。
【００５５】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００５６】
１００  カメラ、１１０  筐体、１２０  撮像レンズ、１３０  シャッタレリーズボタン、１４０  モードダイアル、１５０  電源スイッチ、１６０  ＧＰＳアンテナ、２００  内部機構、２０２  撮像部、２０４  信号処理部、２０６  制御部、２０８  入出力部、２２１  光学系、２２２  焦点調節部、２２３  アイリスユニット、２２４  露出調節部、２２５  シャッタ、２２６  タイミングジェネレータ、２２７  イメージセンサ、２２９  Ａ／Ｄ変換部、２４２  画像処理部、２４４  圧縮部、２４６  メインメモリ、２４８  イメージメモリ、２６２  半押しタイマ、２６４  設定部、２６６  フラグ領域、２６８  記録制御部、２８１  入力受付部、２８２  表示駆動部、２８３  表示部、２８４  記録媒体、２８６  ＧＰＳ受信機
【図１】
0005463949.tif 000002
【図２】
0005463949.tif 000003
【図３】
0005463949.tif 000004
【図４】
0005463949.tif 000005